【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  式(1)：
【化１】
2002508429.tif 000001
[式中、Aは、N、C-Cl、C-CNまたはC-NO2であり；
R1は、Hまたは場合により置換されたアルキルであり；
Gは、スルホ、カルボキシ、場合により置換されたアルキル、場合により置換されたアルコキシ、-CF3または-PO3H2であり；
L1及びL2は、それぞれ独立して-SR2、-OR3または-NR4R5であり；
R2、R3、R4及びR5は、それぞれ独立して、H、場合により置換されたアルキルまたは式(4)若しくは(5)：
【化２】
2002508429.tif 000002
[式中、それぞれのR11は、独立してC1-6-アルコキシ、C1-6-ヒドロキシアルコキシ、ヒドロキシ、ハロ(好ましくはFまたはCl)、ニトロ、アミノ、-COC1-6-アルキル、-NHCOC1-6-アルキルまたは-NHC1-6-ヒドロキシアルキルであり；
それぞれのQは、独立して場合により置換されたC1-30-アルキルまたは式：-Z-Q1の基であり；
それぞれのZは、独立して二価の結合基であり；
それぞれのQ1は、独立して場合により置換されたC1-30-アルキルであり；
ｎは、０〜５であり；
ｍは、１または２であり；
(n+m)＝１〜５である]の基であり、
R2、R3、R4またはR5上の任意の置換基はスルファト若しくはビニルスルホン以外の基であるか；または
R4及びR5はこれらが結合している窒素と一緒になって場合により置換された5-または6-員環を形成し；
但し、
(a)L1及びL2は、カルボキシ、スルホ及び-PO3H2基を含まず；
(b)L1及びL2は、両方-NH2であることはなく；及び
(c)L1及びL2は、両方ヒドロキシエチルアミノであることはない]のモノ-アゾ化合物及びその塩。
【請求項２】  Gがアゾ基に対してオルト位置で結合している、請求項１に記載の化合物。
【請求項３】  Gがスルホである、請求項１または２のいずれかに記載の化合物。
【請求項４】  AがNである、請求項１〜３のいずれか１項に記載の化合物。
【請求項５】  式中、R2、R3、R4及びR5は、それぞれ独立して、H、またはヒドロキシ、シアノ、ハロ、ニトロ、C1-6-アルコキシ、C1-6-ヒドロキシアルコキシ、5-若しくは6-員の複素環基、Tにより表される基並びにC1-10-アルキル、ヒドロキシ、シアノ、ハロ、ニトロ、C1-6-アルコキシ、C1-6-ヒドロキシアルコキシ及び基Tの１個以上により場合により置換されているフェニルから選択される１個以上の原子若しくは基により場合により置換されているC1-30-アルキルであるか；または
R4及びR5はこれらが結合している窒素と一緒になって場合により置換されたモルホリニル、ピペラジニルまたはピペリジニル環を形成し；及び
Tは場合により置換されたアミノ基である、請求項１〜４のいずれか１項に記載の化合物。
【請求項６】  式(6)：
【化３】
2002508429.tif 000003
[式中、X1及びX2は、それぞれ独立して-O-、-S-または-NR12-であり；
W1及びW2は、それぞれ独立して、H、基T、-OC1-6-アルキレン-OR10、C1-6-アルコキシ、ヒドロキシ、5-若しくは6-員の複素環基または１個以上のC1-10-アルキル基により場合により置換されたフェニルであり；
R10は、Hまたは-NH2により場合により置換されたアルキルであり；
R12は、Hまたは、ヒドロキシ、C1-4-アルコキシ若しくは基Tにより場合により置換されたC1-20-アルキルであり；
Tは、場合により置換されたアミノ基であり；
p及びqは、それぞれ独立して１〜20であるか；または
X1-(CpH2p)W1及びX2-(CqH2q)W2は、それぞれ独立して、C1-4-アルキル、ヒドロキシ-C1-4-アルキル、-CO(C1-4-アルキル)若しくは式：-M-NR8R9の基で場合により置換されたピペラジンまたはモルホリン環を形成し；
R8及びR9は、それぞれ独立してHまたはヒドロキシ若しくはC1-6-アルコキシにより場合により置換されたC1-6-アルキルであり；
Mは、C1-6-アルキレンであり；及び
R1は、請求項１の定義通りであり；
但し、
(a)W1、W2及びR12は、カルボキシ、スルホ及び-PO3H2基を含まず；及び
(b)基-X1-(CpH2p)W1及び-X2-(CqH2q)W2は、両方ヒドロキシエチルアミノであることはない]の請求項１記載の化合物及びその塩。
【請求項７】  X1及びX2はそれぞれ独立して-NR12-であり；及びR12は請求項６の定義通りである、請求項６に記載の化合物。
【請求項８】  X1及びX2は、それぞれ独立して-NR12-であり；W1及びW2は、それぞれ独立して、H、-NH2、-NR13CO(C1-4-アルキル)、-OC1-6-アルキレン-OH、C1-6-アルコキシ、モルホリニルまたはテトラヒドロフラニルであり；R13は、HまたはC1-4-アルキルであり；及びR12は、請求項６の定義通りである、請求項６に記載の化合物。
【請求項９】  式(7)：
【化４】
2002508429.tif 000004
[式中、Qはそれぞれ独立して、場合により置換されたC1-30-アルキルまたは式：-Z-Q1の基であり；
Zはそれぞれ独立して、二価の結合基であり；
Q1はそれぞれ独立して場合により置換されたC1-30-アルキルであり；
R11はそれぞれ独立してC1-6-アルコキシ、C1-6-ヒドロキシアルコキシ、ヒドロキシ、ハロ、ニトロ、アミノ、-COC1-6-アルキル、-NHCOC1-6-アルキルまたは-NHC1-6-ヒドロキシアルキルであり；
mは、１または２であり；
nは、０〜５であり；
(n+m)＝１〜５であり；
pは１〜20であり；及び
R1、W1、X1及びX2は請求項６の定義通りであり；
但し、W1、X1、X2及びそれぞれのQは、カルボキシ、スルホ及び-PO3H2基を含まない]の請求項１に記載の化合物またはその塩。
【請求項１０】  R1はHまたはC1-4-アルキルであり；
X1及びX2はそれぞれ独立して-S-または-NR12であり；
W1はH、テトラヒドロフラニル、-OH、フェニルまたは１個以上のC1-4-アルキル基により置換されたフェニルであり；
Qはそれぞれ独立してC1-20-アルキルであり；
R12は、Hまたは場合によりヒドロキシにより置換されたC1-20-アルキルであり；
mは、０、１または２であり；
nは、０または１であり；及び
pは１〜20である、請求項９に記載の化合物。
【請求項１１】  R1はHまたはC1-4-アルキルであり；
W1はHであり；
nは、０であり；
mは、０、１または２であり；及び
Qはそれぞれ独立してC1-4-アルキルである、請求項９に記載の化合物。
【請求項１２】  pが５〜20である、請求項９から１１のいずれか１項に記載の化合物。
【請求項１３】  Gが-SO3Hであり、アゾ基に対してオルトの位置に結合しており；
L1及びL2は、それぞれ独立して-NHR14であり；
R14は、２個以上の-OH基により場合により置換されたC1-30-アルキルであり；及び
R1はHまたはC1-4-アルキルである、請求項１に記載の化合物。
【請求項１４】  アルカリ金属、アンモニウムまたは置換アンモニウム塩の形状である、請求項１〜１３のいずれか１項に記載の化合物。
【請求項１５】  (a)式(9)：
【化５】
2002508429.tif 000005
[式中、L3は、L1または不安定原子若しくは基であり；
L4は、L2または不安定原子若しくは基であり；
A、R1、G、L1及びL2は、請求項１の定義通りであり；
但し、
(a)L3及びL4は、カルボキシ、スルホ及び-PO3H基を含まず；及び
(b)L3及びL4は、両方ヒドロキシエチルアミノであることはない]の化合物0.01〜30部；及び
(b)水と有機溶媒との混合物、水を含まない有機溶媒、または低融点固体を含む媒体70〜99.99部
を含むインキであって、全ての分は重量であり、(A)と(B)の部の合計は100である該インキ。
【請求項１６】  請求項１５に定義の式(9)の化合物を含有するインキをインキジェットプリンターによって支持体に適用することを含む、支持体上に画像を印刷する方法。
【請求項１７】  前記インキが請求項１５に定義されているものである、請求項１６に記載の方法。
【請求項１８】  請求項１５のインキで印刷した、または請求項１６に記載の方法によって印刷した紙、オーバーヘッドプロジェクタースライドまたはテキスタイル材料。
【請求項１９】  前記インキが請求項１５に記載の式(9)の化合物を含む、インキを含有するインキジェットプリンターカートリッジ。